(57)【特許請求の範囲】
【請求項１】
前面側に本体枠を開閉可能に配設してなる遊技機の外枠構造において、
上記外枠の側枠部の少なくとも一方は、押出成形により形成してあり、当該側枠部における本体部の前方側端部には、該前方側端部の左右方向の外側に形成した外側前面部と、該外側前面部の左右方向の内側に形成した内側前面部と、上記本体部とによって凹部が形成してあり、
上記内側前面部の左右方向の外側面には、上記本体枠の裏面部から突出する突出部の後方側に位置する不正防止リブが突出形成してあり、
上記突出部を上記外側前面部の左右方向の内側に対向させて上記本体枠を上記外枠に閉じた状態において、上記不正防止リブの左右方向の外側端を、上記突出部の後方端部の左右方向の外側端よりも内側に位置させたことを特徴とする遊技機の外枠構造。
【請求項２】
請求項１において、上記突出部は、上記外枠に対して上記本体枠を閉じた状態で施錠することができる施錠装置のベース部材に設けてあり、該ベース部材には、上記外枠において上記凹部を形成した側の側枠部の左右方向の内側面の上下２箇所に設けた被係合片に係合するフック部材が可動可能な状態で設けてあり、
上記突出部は、上記被係合片及び上記フック部材の形成箇所に対応して、少なくとも上記側枠部の上下に設けてあることを特徴とする遊技機の外枠構造。
【発明の詳細な説明】
【技術分野】
【０００１】
本発明は、前面側に本体枠を開閉可能に配設してなる遊技機の外枠構造に関する。
【背景技術】
【０００２】
パチンコ遊技機等の遊技機は、四角枠形状を有する外枠の前面側に、遊技盤等の主要部品を取り付けた本体枠を開閉可能に配設してなる。
外枠は、製造、運搬の利便性より木製であることが多い一方、例えば、特許文献１、２においては、外枠をアルミニウム、アルミニウム合金、マグネシウム合金等の金属から成形することが開示されている。これにより、遊技機の防犯性を高めるだけでなく、遊技盤の保持空間を広くして遊技盤内の遊技領域をさらに拡大することを目的として、外枠の左右方向の厚みを薄くして、遊技機に必要な強度を確保することができる。
【０００３】
特許文献１においては、略矩形状の外枠に内枠を回動可能に軸支してなる遊技機において、外枠を金型によって一体成形し、この外枠の内壁面側に、外枠の内壁面と内枠の外壁面との間に設けられた隙間を埋める不正防止リブを立設することが開示されている。
また、特許文献２においては、中枠（第１の機枠）を外枠（第２の機枠）の開口前面側に開閉自在に収容してなる遊技機において、中枠を外枠に収容したときには、施錠機構の周囲を右収容枠部によって囲むことにより、施錠機構の配設された空間への不正な侵入を防止することが開示されている。
【０００４】
しかしながら、特許文献１においては、外枠の内壁面側に不正防止リブを立設した単純な構造であるため、不正防止リブと内枠との間には、隙間が形成され、この隙間へ、可撓性を有するピアノ線等の不正用部材の侵入を防止するためには十分ではない。また、内枠にも不正防止リブを形成できる旨が開示されているものの、可撓性を有する不正用部材は、任意に折れ曲がって隙間に侵入することが可能であり、この侵入を防止するためには十分ではない。
また、特許文献２においても、中枠と外枠との間に形成された隙間から、可撓性を有する不正用部材の侵入を防止するためには十分ではない。
【０００５】
【特許文献１】特開２００４−１８８０６７号公報
【特許文献２】特開２００６−３２０４４９号公報
【発明の開示】
【発明が解決しようとする課題】
【０００６】
本発明は、かかる従来の問題点に鑑みてなされたもので、遊技機内への不正用部材の侵入を防止する不正防止リブの形成が容易であり、遊技機内への不正用部材の侵入をより確実に防止することができる遊技機の外枠構造を提供しようとするものである。
【課題を解決するための手段】
【０００７】
本発明は、前面側に本体枠を開閉可能に配設してなる遊技機の外枠構造において、
上記外枠の側枠部の少なくとも一方は、押出成形により形成してあり、当該側枠部における本体部の前方側端部には、該前方側端部の左右方向の外側に形成した外側前面部と、該外側前面部の左右方向の内側に形成した内側前面部と、上記本体部とによって凹部が形成してあり、
上記内側前面部の左右方向の外側面には、上記本体枠の裏面部から突出する突出部の後方側に位置する不正防止リブが突出形成してあり、
上記突出部を上記外側前面部の左右方向の内側に対向させて上記本体枠を上記外枠に閉じた状態において、上記不正防止リブの左右方向の外側端を、上記突出部の後方端部の左右方向の外側端よりも内側に位置させたことを特徴とする遊技機の外枠構造にある（請求項１）。
【０００８】
本発明の遊技機の外枠構造は、外枠と本体枠との間に形成される隙間から遊技機の内部へ、可撓性を有する種々の不正用部材を侵入させることを確実に防止することができる工夫を行なっている。
具体的には、外枠における不正防止リブは、内側前面部の左右方向の外側面から突出形成してあり、本体枠を外枠に閉じた状態において、不正防止リブの左右方向の外側端は、本体枠における突出部の後方端部の左右方向の外側端よりも内側に位置する。
【０００９】
遊技者等が遊技機に不正を行うために、本体枠の裏面と、外枠の側枠部の前方側端部との間から可撓性を有する不正用部材を侵入させるときには、凹部内へ侵入した不正用部材は、遊技機の後方側へ侵入した後、凹部の底部（本体部の部分）によって遊技機の前方側へＵターンする（折り返される）。このとき、不正用部材の先端は、不正防止リブに当接して、遊技機の外側方向にさらに折れ曲がる。これにより、不正用部材は、不正防止リブよりも奥（外枠と本体枠の裏面とによって形成される遊技機内の空間）へは侵入することができない。
【００１０】
ところで、内側前面部に不正防止リブが形成されていない場合には、凹部内へ侵入した不正用部材は、遊技機の後方側へ侵入した後、凹部の底部（本体部の部分）によってＵターンして（折り返されて）遊技機の前方側へ侵入し、さらに、遊技機内の空間へ侵入することが可能になる。そのため、この場合には、遊技機内の空間への不正用部材の侵入を十分に防止することはできない。
【００１１】
また、不正防止リブの左右方向の外側端が、突出部の後方端部の外側端よりも左右方向の外側に位置する場合には、本体枠の裏面と外枠の側枠部の前方側端部との間から侵入する不正用部材は、突出部に沿って凹部内に侵入した直後に、不正防止リブの前面側端面に当接して折れ曲がり、内側前面部に当接してさらに折れ曲がって、不正防止リブと突出部との間から遊技機内の空間へ侵入することが可能になる。そのため、この場合にも、遊技機内の空間への不正用部材の侵入を十分に防止することはできない。
【００１２】
したがって、上記不正防止リブの左右方向の外側端を、突出部の後方端部の左右方向の外側端よりも内側に位置させた本発明の構成によれば、遊技機内への不正用部材の侵入をより確実に防止することができる。
また、本発明においては、少なくとも外枠において不正防止リブを設けた側の側枠部は、押出成形によって形成してあり、外枠の側枠部のほぼ全長に渡って、外側前面部、内側前面部及び不正防止リブを容易に形成することができる。つまり、射出成形によってはスライド構造を用いた特殊な金型を用いないと成形できない上記構造の側枠部であっても、押出成形によれば容易に成形することができる。
【００１３】
それ故、本発明の遊技機の外枠構造によれば、遊技機内への不正用部材の侵入を防止する不正防止リブの形成が容易であり、遊技機内への不正用部材の侵入をより確実に防止することができる。
【発明を実施するための最良の形態】
【００１４】
上述した本発明における好ましい実施の形態につき説明する。
本発明において、上記不正防止リブの左右方向の外側端を、上記突出部の後方端部の左右方向の外側端よりも内側に位置させた状態は、特に、不正用部材の侵入をより確実に防止するためには、不正防止リブの左右方向の外側端を、突出部の後方端部における外側端と内側端との間の厚み部分の後方側に位置させることが好ましい。
【００１５】
また、上記不正防止リブの左右方向の外側端を、上記突出部の後方端部の左右方向の外側端よりも内側に位置させた状態は、不正防止リブの左右方向の外側端を、突出部の後方端部の内側端よりも左右方向の内側に位置させた状態とすることもできる。この場合には、不正防止リブの突出量は、１．５〜２．５ｍｍにすることが好ましい。
【００１６】
また、上記突出部は、上記外枠に対して上記本体枠を閉じた状態で施錠することができる施錠装置のベース部材に設けてあり、該ベース部材には、上記外枠において上記凹部を形成した側の側枠部の左右方向の内側面の上下２箇所に設けた被係合片に係合するフック部材が可動可能な状態で設けてあり、上記突出部は、上記被係合片及び上記フック部材の形成箇所に対応して、少なくとも上記側枠部の上下に設けてあることが好ましい（請求項２）。
【００１７】
この場合には、可撓性を有する不正用部材によって、施錠装置におけるフック部材の被係合片への施錠状態を解除する行為をより確実に防止することができる。これにより、施錠装置を不正に操作して、外枠に対して本体枠を開けることにより、遊技機内における各種部品に不正を働くことを防止することができる。
なお、突出部は、外枠に対向する本体枠の部分の上下方向のほぼ全長に渡って形成することもできる。
【００１８】
上記外枠の両側枠部は、アルミニウム、アルミニウム合金等の金属によって形成することができる。この場合には、必要な強度を確保して、外枠の側枠部をできるだけ薄く形成することができる。また、この場合には、加熱した熱線等の不正用部材によって、外枠の側枠部を溶かしてしまうことができず、遊技機における防犯性をより高めることができる。さらに、この場合には、外枠による開口領域を容易に拡大することができ、リサイクルにも容易に対応することができる。
また、上記外枠の側枠部は、押出成形による押出方向（上下方向）に向けて貫通する中空部を設けた形状に形成することもできる。この場合には、軽量化を図って、剛性の高い側枠部を容易に形成することができる。
【００１９】
上記外枠の上枠部及び下枠部は、発泡樹脂成形品（樹脂を発泡させて形成した成形品）によって形成することができる。この場合には、車両等によって外枠又は遊技機を運搬する際、又は遊技機をホールにおける島設備へ設置する際等に、上枠部又は下枠部へ釘等を貫通させて当該外枠又は遊技機を固定することができる。そのため、遊技機の運搬、設置等を容易にすることができる。
また、上記発泡樹脂成形品から形成した上枠部は、その下部に、アルミニウム、アルミニウム合金等の金属から形成した金属製補強材を配設することによって補強することができる。
【実施例】
【００２０】
以下に、本発明の遊技機の外枠構造にかかる実施例につき、図面と共に説明する。
本例の遊技機１の外枠構造は、図２、図３に示すごとく、パチンコ遊技機において、四角枠形状を有する外枠２の前面側Ｄ１に、本体枠６を開閉可能に配設してなる。
外枠２における左右一対の側枠部３は、押出成形により形成してある。また、本例では、図１に示すごとく、右側（遊技機１の前面側Ｄ１から見た右側、以下同様。）の側枠部３（Ｒ）における本体部３５の前方側端部３０１には、前方側端部３０１の左右方向Ｗの外側に形成した外側前面部３１と、この外側前面部３１の左右方向Ｗの内側に形成した内側前面部３２と、本体部３５とによって、本体枠６の裏面部６１から突出する突出部７１２を収容する凹部３３が形成してある。
【００２１】
図１、図２に示すごとく、内側前面部３２の左右方向Ｗの外側面には、突出部７１２の後方側Ｄ２に位置する不正防止リブ３４が突出形成してある。そして、本例の遊技機１の外枠構造においては、突出部７１２を凹部３３内に収容して（突出部７１２を外側前面部３１の左右方向Ｗの内側に対向させて）本体枠６を外枠２に閉じた状態において、不正防止リブ３４の左右方向Ｗの外側端３４１が、突出部７１２の左右方向Ｗの外側端７１６よりも内側に位置している。また、本例の不正防止リブ３４の左右方向Ｗの外側端３４１は、突出部７１２の後方端部７１５の後方側Ｄ２に位置している。
【００２２】
以下に、本例の遊技機１の外枠構造につき、図１〜図９と共に詳説する。
本例において、前方側（前面側）Ｄ１とは、遊技機１を正面から見たときの遊技機１の手前側をいい、後方側Ｄ２とは、遊技機の奥側をいう。また、矢印Ｈは、上下方向（鉛直方向）を示し、矢印Ｗは、左右方向（水平方向）を示す。
図２、図３に示すごとく、本例の本体枠６は、遊技領域を形成する遊技盤を取り付けるよう構成してあり、全周において外枠２の前面側Ｄ１に対面して、外枠２との間の隙間を閉じるよう構成されている。また、図示は省略するが、本体枠６の前面側Ｄ１には、ガラス板を設けて遊技盤の遊技領域が透視できるようにしたガラス扉が開閉可能に配設してある。
【００２３】
図３に示すごとく、本例の本体枠６は、遊技機１の正面（前面側Ｄ１）から見て左側端部が、外枠２の左側の側枠部３（Ｌ）に軸支されており、遊技機１の正面から見て右側端部の裏面部６１（図２参照）には、外枠２に対して閉じた状態を施錠することができる施錠装置７が配設してある。また、本例の施錠装置７は、外枠２に対して本体枠６を閉じた状態で施錠すると共に、本体枠６に対してガラス扉を閉じた状態で施錠することができるよう構成されている。図示は省略するが、施錠装置７におけるキーシリンダー７３にキーを挿入して、このキーを一方側に回したときには、外枠２に対する本体枠６の解錠が可能であり、キーを他方側に回したときには、本体枠６に対するガラス扉の解錠が可能である。
【００２４】
また、図２に示すごとく、施錠装置７は、本体枠６の裏面部６１に固定したベース部材７１と、ベース部材７１に固定したキーシリンダー７３に挿入したキーの操作を受けて、回動するフック部材７２とを有している。フック部材７２は、本体枠６の上下方向Ｈの２箇所に設けてあり、各フック部材７２は、連結部材（図示略）によって連結されて、連動するよう構成されている。
本例の本体枠６の裏面部６１に設けた突出部７１２は、施錠装置７のベース部材７１に形成してある。
【００２５】
同図に示すごとく、ベース部材７１は、本体枠６の裏面部６１に固定した固定部７１１と、この固定部７１１の左右方向Ｗの外側の端部において、遊技機１の後方側Ｄ２に折曲形成された突出部７１２と、固定部７１１の左右方向Ｗの内側の端部において、遊技機１の後方側Ｄ２に折曲形成され、フック部材７２を回動可能に支持するための支持板部７１３とを有している。本例のベース部材７１は、その全長に渡って突出部７１２を形成してなる。そして、本体枠６を外枠２に閉じた状態において、外枠２の右側の側枠部３（Ｒ）において、不正防止リブ３４の左右方向Ｗの外側端３４１と突出部７１２の後方端部７１５とは、上下方向Ｈ（図３参照）のほぼ全長に渡って対向する。
なお、突出部７１２は、被係合片３７及びフック部材７２の形成箇所に対応して、右側の側枠部３（Ｒ）の上下にのみ設けることもできる。
【００２６】
次に、本例の外枠２の構造について詳説する。
図５、図６に示すごとく、本例の外枠２における左右の側枠部３（Ｒ）、３（Ｌ）は、軽量化を図って剛性を高めるために、アルミニウム材料を押出成形してなる。各側枠部３の本体部３５は、押出成形による押出方向（上下方向Ｈ）に向けて貫通する中空部３５１を設けた形状に形成してある。
図５に示すごとく、本例の右側の側枠部３（Ｒ）の本体部３５は、前後に中空部３５１を有し、中空部３５１同士を連結板部３５２によって連結して形成してある。また、連結板部３５２からは、施錠装置７におけるフック部材７２を係合させる被係合片３７が、フック部材７２の配設位置に対応して、左右方向Ｗの内側に向けて上下２箇所に設けてある（図７参照）。
【００２７】
図２に示すごとく、右側の側枠部３（Ｒ）において、外側前面部３１及び内側前面部３２は、前方側Ｄ１の中空部３５１の前面から前方側Ｄ１に向けて突出形成してある。
図６に示すごとく、本例の左側の側枠部３（Ｌ）の本体部は、仕切り板部３５３によって仕切って、前後に中空部３５１を形成してなる。左側の側枠部３（Ｌ）の本体部３５には、外側前面部３１が形成されているものの、内側前面部３２は形成されていない。
【００２８】
図５、図６に示すごとく、本例の外枠２における上枠部４は、ＡＢＳ樹脂等の熱可塑性樹脂を発泡剤によって発泡させて成形した上側の発泡樹脂成形品４１の下部を、アルミニウムからなる金属製補強材４２によって補強してなる。
また、各側枠部３と上枠部４とは、左右の上側角部に設ける上側金具４３によって固定される。上側金具４３は、上枠部４の上部に配置する上板部分４３１と、側枠部３の外側面に配置する側板部分４３２とを９０°に屈曲させて形成してある。外枠２における各側枠部３の外側面には、側板部分４３２を前後において挟持して保持するための断面略Ｃ形状の保持部３６が形成してある。
【００２９】
そして、側板部分４３２を保持部３６に挿入して保持させた状態で、側板部分４３２を貫通して配置したビス４８を側枠部３に螺合し、かつ、上板部分４３１及び上側の発泡樹脂成形品４１を貫通して配置したビス４８を金属製補強材４２及び側枠部３に螺合することによって、各側枠部３と上枠部４との固定が行われる。
また、上側金具４３の角部４３０と上側の発泡樹脂成形品４１とには、互いに対向する位置に陥没凹部４３３と陥没凹部４１１とが形成してある。そして、上側金具４３の陥没凹部４３３の裏面における凸部４３４と、上側の発泡樹脂成形品４１の陥没凹部４１１とが係合することによって、上側の発泡樹脂成形品４１に対する上側金具４３の取付強度を向上させることができる。
【００３０】
また、図５、図６に示すごとく、上側の発泡樹脂成形品４１の上面の端部には、上側金具４３の上板部分４３１を配置する段差状面４１２が形成してある。上側金具４３の上板部分４３１を段差状面４１２に配置したときには、この上板部分４３１の上面と上側の発泡樹脂成形品４１の上面とがほぼ面一状態になる。
なお、左側の上側金具４３には、本体枠６の上側を軸支する軸支部４３５が形成してある（図６参照）。
【００３１】
図７に示すごとく、本例の外枠２における下枠部５は、下側の発泡樹脂成形品５１の上面に、樹脂製の幕板部材５４を配置し、この幕板部材５４の左右の端部に設けた下側金具５３に左右の側枠部３を固定して形成する。具体的には、下側金具５３は、側枠部３の内側面に対面配置する側板部分５３２と、側板部分５３２の上端から内側に折り返した上板部分５３１と、側板部分５３２の下端から内側に折り返した下板部分５３３とを備えた形状を有している。
【００３２】
各側枠部３を貫通するビス５７を、各下側金具５３の側板部分５３２に螺合し、下側の発泡樹脂成形品５１を貫通するビス５８を、各下側金具５３の下板部分５３３に螺合することによって、側枠部３と下側の発泡樹脂成形品５１との固定が行われる。
図７、図４に示すごとく、下側金具５３における上板部分５３１と下板部分５３３との間に、幕板部材５４の左右の端部５４１を挟持することにより、この幕板部材５４を下側の発泡樹脂成形品５１の上面に配置し、かつ、上板部分５３１を貫通する木ねじ５９１を幕板部材５４に螺合すると共に、幕板部材５４の裏面に設けられた取付部（図示略）を貫通する木ねじ５９２を下側の発泡樹脂成形品５１に螺合することによって、幕板部材５４を外枠２に取り付ける。図４は、幕板部材５４を外枠２に取り付ける前の状態を示す。
なお、左側の下側金具５３には、本体枠６の下側を軸支する軸支部５３５が形成してある。
【００３３】
また、本例の上枠部４の上側の発泡樹脂成形品４１の上面には、シボ加工が行ってある。これにより、下枠部５をコンベヤや回転ローラ等で構成された遊技機組付装置に載置し、上枠部４の上方に押当て部材を押し当てて、外枠２を遊技機組付装置上を移動させる際に、シボ加工によって生じる摩擦力によって上枠部４と押当て部材とを滑り難くして適切に移動させることができる。
また、上枠部４及び下枠部５を、発泡樹脂成形品４１、５１を用いて形成したことにより、車両等によって外枠２又は遊技機１を運搬する際、又は遊技機１をホールにおける島設備へ設置する際等に、上枠部４又は下枠部５へ釘等を貫通させて当該外枠２又は遊技機１を固定することができる。そのため、遊技機１の運搬、設置等を容易にすることができる。
【００３４】
本例の遊技機１の外枠構造は、外枠２と本体枠６との間に形成される隙間から遊技機１の内部へ、可撓性を有する種々の不正用部材８を侵入させることを確実に防止することができる工夫を行なっている。
具体的には、図１に示すごとく、外枠２における不正防止リブ３４は、内側前面部３２の左右方向Ｗの外側面から突出形成してあり、本体枠６を外枠２に閉じた状態において、不正防止リブ３４の左右方向Ｗの外側端３４１は、本体枠６に設けた施錠装置７のベース部材７１における突出部７１２の後方端部７１５における外側端７１６と内側端７１７との間の厚み部分の後方側Ｄ２に位置している。
【００３５】
同図に示すごとく、遊技者等が遊技機１に不正を行うために、本体枠６の裏面部６１と、外枠２の右側の側枠部３（Ｒ）の前方側端部３０１との間から可撓性を有する不正用部材８を侵入させるときには、凹部３３内へ侵入した不正用部材８は、遊技機１の後方側Ｄ２へ侵入した後、凹部３３の底部３３１によって遊技機１の前方側Ｄ１へＵターンする（折り返される）。このとき、不正用部材８の先端８１は、不正防止リブ３４に当接して左右方向Ｗの外側Ｗ１へさらに折れ曲がる。これにより、不正用部材８は、不正防止リブ３４よりも奥（外枠２と本体枠６の裏面部６１とによって形成される遊技機１内の空間）へは侵入することができない。また、不正用部材８は、施錠装置７まで到達することができず、この施錠装置７に不正を働くことができない。
【００３６】
ところで、図８に示すごとく、内側前面部３２に不正防止リブ３４が形成されていない場合には、凹部３３内へ侵入した不正用部材８の先端８１Ｘは、遊技機１の後方側Ｄ２へ侵入した後、凹部３３の底部３３１によってＵターンして（折り返されて）遊技機１の前方側Ｄ１へ侵入し、さらに、遊技機１内の空間へ侵入することが可能になる。そのため、この場合には、遊技機１内の空間への不正用部材８の侵入を防止することはできない。そして、不正用部材８は、施錠装置７まで到達することが可能になり、この施錠装置７に不正を働くことを十分に防止することができない。
【００３７】
また、図１に示すごとく、不正防止リブ３４の左右方向Ｗの外側端３４１Ｙ（図１中、破線で示す。）が、突出部７１２の後方端部７１５の外側端７１６よりも左右方向Ｗの外側に位置する場合には、本体枠６の裏面部６１と外枠２の側枠部３の前方側端部３０１との間から侵入する不正用部材８の先端８１Ｙは、突出部７１２に沿って凹部３３内に侵入した直後に、不正防止リブ３４の前面側端面に当接して折れ曲がり、内側前面部３２に当接してさらに折れ曲がって、不正防止リブ３４と突出部７１２との間から遊技機１内の空間へ侵入することが可能になる。そのため、この場合にも、遊技機１内の空間への不正用部材８の侵入を防止することはできず、不正用部材８によって施錠装置７に不正を働くことを十分に防止することができない。
なお、図１、図８において、左右方向Ｗの外側をＷ１によって示す。
【００３８】
したがって、図１に示すごとく、上記不正防止リブ３４の左右方向Ｗの外側端３４１を、突出部７１２の後方端部７１５の後方側Ｄ２に位置させた本例の構成によれば、遊技機１内への不正用部材８の侵入をより確実に防止できることがわかる。
また、不正防止リブ３４の左右方向Ｗの外側端３４１（図８中、破線で示す。）が、突出部７１２の後方端部７１５の内側端７１７よりも左右方向Ｗの内側に位置する場合にも、遊技機１内への不正用部材８の侵入を防止することが可能である。ただし、この場合、不正防止リブ３４の左右方向Ｗの外側端３４１と、突出部７１２の後方端部７１５における内側端７１７との間に隙間が発生し、不正用部材８の侵入が可能になることもあり得る。そのため、図１に示したように、不正防止リブ３４の左右方向Ｗの外側端３４１は、突出部７１２の後方端部７１５における外側端７１６と内側端７１７との間の厚み部分の後方側Ｄ２に位置させることが好ましい。
【００３９】
また、本例においては、外枠２の一対の側枠部３は、押出成形によって形成してある。そして、右側の側枠部３（Ｒ）においては、そのほぼ全長に渡って、外側前面部３１、内側前面部３２及び不正防止リブ３４を容易に形成することができ、左側の側枠部３（Ｌ）においては、そのほぼ全長に渡って、外側前面部３１を容易に形成することができる。
【００４０】
また、本例においては、遊技者等が外側前面部３１と本体枠６の裏面部６１との間に不正用部材８を挿入し易くするために、本体枠６を左右方向Ｗの内側へ押す際には、本体枠６の裏面部６１から突出する突出部７１２が、内側前面部３２に当接することができる。そのため、本体枠６を大きく左右方向Ｗの内側へずらすことができず、防犯性を高めることができる。
【００４１】
それ故、本例の遊技機１の外枠構造によれば、遊技機１内への不正用部材８の侵入を防止する不正防止リブ３４の形成が容易であり、遊技機１内への不正用部材８の侵入をより確実に防止することができる。
【００４２】
また、図９に示すごとく、上記遊技機１の外枠構造は、左側の側枠部３（Ｌ）に採用することもできる。この場合において、左側（遊技機１の前面側Ｄ１から見た左側）の側枠部３（Ｌ）における本体部３５の前方側端部３０１には、前方側端部３０１の左右方向Ｗの外側に形成した外側前面部３１と、この外側前面部３１の左右方向Ｗの内側に形成した内側前面部３２と、本体部３５とによって凹部３３を形成する。また、内側前面部３２の左右方向Ｗの外側面には、突出部７１２の後方側Ｄ２に位置する不正防止リブ３４を突出形成する。この不正防止リブ３４は、内側前面部３２の前方側端部から形成することができる。
【００４３】
この場合にも、突出部７１２を外側前面部３１の左右方向Ｗの内側に対向させて本体枠６を外枠２に閉じた状態において、不正防止リブ３４の左右方向Ｗの外側端３４１は、突出部７１２の後方端部７１５の後方側Ｄ２に位置させる。また、本体枠６の裏面部６１の枠部６１１は、外側前面部３１の左右方向Ｗの内側に配置することができる。なお、図９における符号Ｏは、本体枠６の回転中心を示す。
この場合においても、上記遊技機１の外枠構造と同様の作用効果を得ることができる。
【００４４】
上述した遊技機１の外枠構造は、アレンジボール遊技機、遊技球を遊技媒体に使用するスロットマシン等のパチンコ遊技機以外の遊技機に採用することもできる。
また、遊技機１の外枠構造は、外枠２の枠部のすべて（一対の側枠部３、上枠部４、下枠部５）に採用することもできる。また、施錠装置７が取り付けられる右側の側枠部３（Ｒ）のみに採用することもできる。
【００４５】
また、上記本体枠６の裏面部６１に設ける突出部７１２を、施錠装置７のベース部材７１に一体的に形成することにより、ベース部材７１を利用して容易に形成することができる。また、ベース部材７１は、板金から形成されているため熱に強く、防犯に適している。また、不正行為がされ易い施錠装置７に上記外枠構造を採用することにより、防犯性を高めることができる。
なお、突出部７１２は、施錠装置７のベース部材７１に一体的に形成するだけでなく、本体枠６の裏面部６１から一体的に、又は本体枠６の裏面部６１に施錠装置７とは異なる別部材を別途取り付けることにより形成することもできる。
【００４６】
また、上記側枠部３は、押出成形により全長に渡って同一断面形状に形成されるが、この同一断面形状は、必要に応じて適宜加工を施すことにより、断面変化部を有していることができる。
また、上記上側の発泡樹脂成形品４１及び下側の発泡樹脂成形品５１は、ポリ乳酸等の樹脂と植物繊維とをコンパウンドしたプラスチックにより成形することもできる。
【図面の簡単な説明】
【００４７】
【図１】実施例における、外枠における右側の側枠部の前方側端部の周辺を拡大して示す断面説明図。
【図２】実施例における、外枠における右側の側枠部の周辺を拡大して示す断面説明図。
【図３】実施例における、外枠を正面から見た状態で示す説明図。
【図４】実施例における、外枠を示す斜視図。
【図５】実施例における、外枠における上枠部と右側の側枠部との固定部分を示す分解斜視図。
【図６】実施例における、外枠における上枠部と左側の側枠部との固定部分を示す分解斜視図。
【図７】実施例における、外枠における下枠部と左右の側枠部との固定部分を示す分解斜視図。
【図８】実施例における、従来の右側の側枠部の前方側端部の周辺を拡大して示す断面説明図。
【図９】実施例における、外枠における左側の側枠部に不正防止リブを形成した場合の前方側端部の周辺を拡大して示す断面説明図。
【符号の説明】
【００４８】
１  遊技機
２  外枠
３  側枠部
３（Ｒ）  右側の側枠部
３（Ｌ）  左側の側枠部
３０１  前方側端部
３１  外側前面部
３２  内側前面部
３３  凹部
３３１  底部
３４  不正防止リブ
３４１  外側端
３７  被係合片
４  上枠部
４１  上側の発泡樹脂成形品
４２  金属製補強材
４３  上側金具
５  下枠部
５１  下側の発泡樹脂成形品
５３  下側金具
５４  幕板部材
６  本体枠
６１  裏面部
７  施錠装置
７１  ベース部（ベース部材）
７１２  突出部
７１５  後方端部
７２  フック部材
８  不正用部材
Ｄ１  前方側（前面側）
Ｄ２  後方側
Ｗ  左右方向
Ｈ  上下方向
【図１】
0005023285.tif 000002
【図２】
0005023285.tif 000003
【図３】
0005023285.tif 000004
【図４】
0005023285.tif 000005
【図５】
0005023285.tif 000006
【図６】
0005023285.tif 000007
【図７】
0005023285.tif 000008
【図８】
0005023285.tif 000009
【図９】
0005023285.tif 000010